(57)【要約】【課題】薬剤シートからの薬剤の揮散効果をより高めることのできる薬剤シートの保持ケースを提供する。【解決手段】薬剤シートの鉛直方向の下面を支持する底部フレーム１５と、底部フレーム１５上に載置した薬剤シートの周縁部の上面を押さえる係止爪１４，１８とを設ける。底部フレーム１５の下部に、薬剤シートに鉛直下方から気流の撹乱を起こさせる気流増幅部材１３を一体に設ける。薬剤シートと気流増幅部材１３の相対位置を一定に維持することで気流増幅部材１３による気流撹乱効果を安定させ、薬剤シートから揮発した薬剤を遠心力と気流撹乱効果によって効率良く周囲に揮散させる。【選択図】図２
2010131002.tif 000002
【特許請求の範囲】
【請求項１】
薬剤を含んだ三次元構造の通気性薬剤シートの鉛直方向の下面を支持する底部フレームと、この底部フレーム上に載置した前記薬剤シートの上面を押さえる係止爪と、前記薬剤シートの外周側面の外側を囲む周壁フレームとを備え、回転駆動装置に取り付けられて回転する薬剤シートの保持ケースにおいて、
前記底部フレームの一部に、回転時に前記薬剤シートに生起する拡散気流を増幅させる気流増幅部材を設けたことを特徴とする薬剤シートの保持ケース。
【請求項２】
前記気流増幅部材は、傾斜板が放射状に複数個設けられていることを特徴とする請求項１に記載の薬剤シートの保持ケース。
【請求項３】
薬剤を含んだ三次元構造の通気性薬剤シートの鉛直方向の下面を支持する底部フレームと、この底部フレーム上に載置した前記薬剤シートの上面を押さえる係止爪と、前記薬剤シートの外周側面の外側を囲む周壁フレームとを備え、回転駆動装置に取り付けられて回転する薬剤シートの保持ケースにおいて、
前記薬剤シートの外側側面を囲むように前記周壁フレームを複数離間して設け、
この複数の周壁フレームの下端に、前記底部フレームを兼ね、かつ回転時に前記薬剤シートに生起する拡散気流を増幅させる気流増幅部材を略Ｌ字状に連結したことを特徴とする薬剤シートの保持ケース。
【発明の詳細な説明】
【技術分野】
【０００１】
この発明は、常温下で薬剤を揮散させる薬剤揮散装置に用いられ、薬剤を含んだ薬剤シートを保持する保持ケースに関するものである。
【背景技術】
【０００２】
蚊等の防虫に用いられる薬剤揮散装置として、粒状の薬剤含浸体を収容するカートリッジをモータによって回転させ、その回転に伴う遠心力と、カートリッジに形成したファンによる送風効果によって薬剤含浸体中の薬剤を空気中に揮散させるものが案出されている（例えば、特許文献１参照）。
ところが、この薬剤揮散装置の場合、粒状の薬剤含浸体を収容するカートリッジを用いるため、構造が複雑で大型化し易い。
【０００３】
このため、これに対処する薬剤揮散装置として、繊維状素材に薬剤を吸着させた薬剤シートを用いたものが案出されている（例えば、特許文献２や特許文献３参照）。
特許文献２の薬剤揮散装置の場合、薬剤シートは、モータ軸に脱着可能な保持ケースによって保持され、保持ケースの鉛直上部には、薬剤シートに空気流を作用させるための気流方向変化部材が一体に設けられている。
また、特許文献３においては、三次元構造の通気性薬剤シートを保護ケースに収納してなる薬剤揮散装置が開示されている。
【先行技術文献】
【特許文献】
【０００４】
【特許文献１】特開２００１−２４７４０６号公報
【特許文献２】特開２００６−７５１３６号公報
【特許文献３】特開２００７−３３２０３３号公報
【発明の概要】
【発明が解決しようとする課題】
【０００５】
しかし、特許文献２の薬剤揮散装置で用いられる薬剤シートの保持ケースにおいては、薬剤シートに空気流を作用させるための気流方向変化部材が薬剤シートの鉛直上方側に配置されているため、自重による薬剤シートの撓み等によって薬剤シートと気流方向変化部材の相対位置が変化し易く、両者の相対位置によっては気流方向変化部材の作り出す空気流を薬剤シートに所望通りに作用させることが難しくなる。
特に、薬剤シートが柔軟な繊維状素材で形成されている場合には、この傾向が大きくなり、薬剤シートの撓みを抑制するためには薬剤シートの上下面の広い面積を保持ケースで挟み込まなければならなくなる。そして、薬剤シートの上下の広い面積を保持ケースで挟み込む場合には、薬剤シートからの薬剤の揮散が妨げられてしまう。
また、特許文献３の薬剤揮散装置においては、保護ケースの保持枠として任意の形状を採用できる旨記載されているが、その形状と薬剤の揮散効果との関係につき特に検討がなされているわけではない。
【０００６】
そこで、この発明は、三次元構造の通気性薬剤シートからの薬剤の揮散効果をより高めることのできる薬剤シートの保持ケースを提供しようとするものである。
【課題を解決するための手段】
【０００７】
上記の課題を解決する請求項１に記載の発明は、薬剤を含んだ三次元構造の通気性薬剤シートの鉛直方向の下面を支持する底部フレームと、この底部フレーム上に載置した前記薬剤シートの上面を押さえる係止爪と、前記薬剤シートの外周側面の外側を囲む周壁フレームとを備え、回転駆動装置に取り付けられて回転する薬剤シートの保持ケースにおいて、前記底部フレームの一部に、回転時に前記薬剤シートに生起する拡散気流を増幅させる気流増幅部材を設けたことを特徴とするものである。
これにより、薬剤シートは底部フレーム上に載置され、その状態において上面が係止爪によって押さえ込まれるようになる。薬剤シートは、自重と係止爪による押し付けによって底部フレーム上に押し付け状態で固定される。この結果、底部フレーム上に固定された薬剤シートと、その下方周域に気流の撹乱を起こさせる気流増幅部材とは、常に一定の相対位置に維持されるようになる。
また、薬剤シートを取り付けた保持ケースが回転駆動装置によって回転すると、遠心力による効果によって薬剤シートから薬剤が揮発して拡散するとともに、気流増幅部材の回転による気流撹乱効果によって薬剤の拡散が周囲の広い空間にわたって促進されるようになる。
【０００８】
また、請求項２に記載の発明は、請求項１に記載の薬剤シートの保持ケースにおいて、前記気流増幅部材は、傾斜板が放射状に複数個設けられていることを特徴とするものである。
【０００９】
また、請求項３に記載の発明は、薬剤を含んだ三次元構造の通気性薬剤シートの鉛直方向の下面を支持する底部フレームと、この底部フレーム上に載置した前記薬剤シートの上面を押さえる係止爪と、前記薬剤シートの外周側面の外側を囲む周壁フレームとを備え、回転駆動装置に取り付けられて回転する薬剤シートの保持ケースにおいて、前記薬剤シートの外側側面を囲むように前記周壁フレームを複数離間して設け、この複数の周壁フレームの下端に、前記底部フレームを兼ね、かつ回転時に前記薬剤シートに生起する拡散気流を増幅させる気流増幅部材を略Ｌ字状に連結したことを特徴とするものである。
【発明の効果】
【００１０】
この発明によれば、薬剤シートを自重と係止爪によって底部フレーム上に押し付けた状態で固定し、薬剤シートと気流増幅部材との相対位置を常に一定に維持することができるうえ、気流増幅部材の気流撹乱効果によって薬剤シートに生起する拡散気流を増幅でき、これらの相乗効果によって薬剤の揮散効果をより高めることができる。
【図面の簡単な説明】
【００１１】
【図１】この発明の第１の実施形態における薬剤揮散装置の斜視図。
【図２】同実施形態の保持ケースの斜視図。
【図３】同実施形態の保持ケースの側面図。
【図４】同実施形態の保持ケースの上面図。
【図５】同実施形態の保持ケースの下面図。
【図６】この発明の第２の実施形態における保持ケースの斜視図。
【図７】同実施形態の保持ケース側面図。
【図８】同実施形態の保持ケースの上面図。
【図９】同実施形態の保持ケースの下面図。
【図１０】同実施形態の保持ケースの図８のＡ−Ａ断面に対応する断面図。
【図１１】この発明の第３の実施形態における保持ケースの斜視図。
【図１２】同実施形態の保持ケースの上面図。
【図１３】同実施形態の保持ケースの背面図。
【発明を実施するための形態】
【００１２】
以下、この発明の実施形態を図面に基づいて説明する。なお、以下の説明においては、特別に断らない限り、上下については鉛直方向に関しての上下を意味するものとする。
最初に、図１〜図５に示す第１の実施形態について説明する。
図１は、保持ケース１０を用いる薬剤揮散装置１の概略構成を示すものである。この薬剤揮散装置１は、蚊等の害虫を駆除するために、殺虫成分を含む薬剤を設置空間に揮散させるものである。
【００１３】
薬剤揮散装置１は、回転駆動装置であるモータ２を略円柱状の本体ブロック３内に内蔵し、薬剤シート４を保持した保持ケース１０をモータ２の駆動によって回転させる。薬剤揮散装置１の本体ブロック３は、略偏平な上面側が保持ケース１０の設置部とされ、外側面には、モータ２の作動スイッチ５と、スイッチ作動の確認ランプ６が配置されている。また、本体ブロック３の上部のコーナーには、本体ブロック３の上面に配置した保持ケース１０の上方側周囲を覆う略半球状のカバー７が開閉可能に取り付けられている。カバー７の外周と上部領域には、薬剤シート４から揮散した薬剤を設置空間に流出させるための複数のスリット８が設けられている。上部領域のスリット８は空気の流入口としての役割も有するので、上部領域全面に対する開口率を２０％以上に設定するのが良い。なお、図１に示す薬剤揮散装置１は室内設置タイプのものであるが、薄型・コンパクトに設計され、吊り下げ部を有する携帯タイプのものも同様に採用することができる。
【００１４】
薬剤シート４は、三次元構造の繊維状素材（合成繊維や半合成繊維、天然繊維）に、常温揮散性ピレスロイド（例えば、メトフルトリン、トランスフルトリン、プロフルトリン、エムペントリン、テラレスリン等）、ディート、ジメチルフタレート、ｐ−メンタン−３、８−ジオール等の忌避成分、ヒノキチオール、テトラヒドロリナロール、オイゲノール、シトロネラール、アリルイソチオシアネート等の抗菌成分、イソプロピルメチルフェノール、オルトフェニルフェノール等の防黴成分、シトロネラ油、オレンジ油、レモン油、ライム油、ユズ油、ラベンダー油、ペパーミント油、ユーカリ油、ジャスミン油、檜油、緑茶精油、リモネン、α−ピネン、リナロール、ゲラニオール、フェニルエチルアルコール、アミルシンナミックアルデヒド、クミンアルデヒド、ベンジルアセテート等の芳香成分等の薬剤を吸着させたものであり、全体が円板状に形成されている。繊維状素材としては、例えば、繊維をメッシュ状に編んだ複数層のシートが、曲げ弾性を有する複数の繊維によって連結されたものを採用することができる。この薬剤シート４は、繊維素材の特性から全体に柔軟性を有するとともに、充分な通気性を有している。この薬剤シート４は、1枚、若しくは、複数枚を重ねた状態で保持ケース１０に取り付けられる。また、薬剤シート４の中心部には、保持ケース１０に固定するための取付孔９が形成されている。
【００１５】
図２〜図５は、保持ケース１０の単体を示す図である。
保持ケース１０は、モータ２の駆動軸２ａに脱着可能に取り付けられる軸部１１と、薬剤シート４を保持するシート保持部１２と、薬剤シート４の下方周域に気流の撹乱を起こさせる気流増幅部材１３とを備えている。
【００１６】
軸部１１は、下端部にモータ２の駆動軸２ａに嵌合される嵌合穴１１ａが設けられるとともに、上端部に径方向外側に突出する一対の内側係止爪１４，１４が設けられている。そして、軸部１１の長手方向の略中央部分には、径方向外側に十字状に突出する４本の底部フレーム１５が延設されている。各底部フレーム１５の延出端は上方に向かって略直角に屈曲し、屈曲した各上端部が円環状の上部フレーム１６に連結されている。なお、各底部フレーム１５の延出端の屈曲部分は周壁フレーム１７と呼ぶものとする。
【００１７】
４本の底部フレーム１５と、周壁フレーム１７および円環状の上部フレーム１６は、これらの内側に略円板状の空間部を形成し、その空間部内に薬剤シート４を収納するようになっている。薬剤シート４を収納する際には、軸部１１の上部側は、図１に示すように薬剤シート４の取付孔９に嵌入され、このとき、取付孔９を貫通した一対の内側係止爪１４，１４が薬剤シート４の中心部付近を上面側から押さえ込むようになっている。また、上部フレーム１６の内周面には円周方向に等間隔に離間して４つの外側係止爪１８が突設されている。この各係止爪１８は、薬剤シート４の外周縁部を上面側から押さえ込むためのものであり、下面の略中央には、先端部が鋭角状に突出して薬剤シート４の上面と係合する尖突部１９が形成されている。なお、この実施形態の場合、底部フレーム１５および周壁フレーム１７と、外側係止爪１８を含む上部フレーム１６等がシート保持部１２を構成している。
【００１８】
また、気流増幅部材１３は、４本の底部フレーム１５の下面に軸部１１と同軸に設けられた円環状のハブ２０と、そのハブ２０の外周に突設された複数の傾斜板２１とを備えている。この気流増幅部材１３は、モータ２による保持ケース１０の回転によって回転し、薬剤シート４の下方周域に気流撹乱作用をもたらす。
なお、この実施形態の場合、保持ケース１４の各部は合成樹脂によって一体に形成されている。
【００１９】
以上のように構成された保持ケース１０には、上部フレーム１６の上方側から底部フレーム１５と周壁フレーム１７の内側の空間に薬剤シート４が取り付けられる。このとき、薬剤シート４は取付孔９が軸部１１に嵌入され、中心部付近を上面側から内側係止爪１４によって押さえ込まれるとともに、外周縁部が上部フレーム１６の複数の外側係止爪１８によって上面側から押さえ込まれる。これにより、薬剤シート４は自重と係止爪１４，１８による押し付け力によって底部フレーム１５上に押し付けられた状態で固定される。この結果、薬剤シート４の下面と、気流増幅部材１３の傾斜板２１とは常に一定の相対位置に維持されるようになる。
【００２０】
このように薬剤シート４を取り付けた保持ケース１０は薬剤揮散装置１のモータ２の駆動軸２ａに取り付けられる。この状態において、保持ケース１０の気流増幅部材１３は薬剤シート４の鉛直下方に位置されるようになる。
そして、カバー７を閉じてモータ２を駆動させると、保持ケース１０が所定速度で回転し、このとき薬剤シート４に遠心力が作用するとともに、気流増幅部材１３による気流撹乱作用を薬剤シート４が下面側から受けるようになる。これにより、薬剤シート４から揮発した薬剤が遠心力と気流増幅部材１３の気流撹乱作用を受けて保持ケース１０の周囲に拡散し、カバー７のスリット８を通して設置空間に適度な濃度をもって揮散されるようになる。
【００２１】
この実施形態で用いられる保持ケース１０においては、薬剤シート４が自重と係止爪１４，１８による押し付けによって底部フレーム１５上に押し付け状態で固定され、薬剤シート４とその下方の気流増幅部材１３との相対位置が常に一定に維持されるため、気流増幅部材１３による気流撹乱効果を常に安定的に得ることができる。
特に、この実施形態の保持ケース１０においては、気流増幅部材１３による気流撹乱を薬剤シート４の正面で受けることになるが、気流増幅部材１３が薬剤シート４の鉛直下方側に配置されているため、気流増幅部材１３による気流撹乱作用は、薬剤シート４の自重による撓みを抑制することができる。
したがって、この保持ケース１０を用いた場合には、薬剤シート４の上下面を保持ケース１０や他の部材で大きな面積で挟持することなく、薬剤シート４と気流増幅部材１３との相対位置を一定に維持することができるため、薬剤シート４からの薬剤の揮散効果をより高めることができる。
【００２２】
次に、図６〜図１０に示す第２の実施形態について説明する。
この実施形態の保持ケース１１０は、第１の実施形態と同様の薬剤揮散装置１（図１参照）で用いられ、同様の薬剤シート４（図１参照）を保持するものである。なお、以下で説明する各実施形態においては、図１〜図５に示した第１の実施形態と同一構造部分に同一符号を付し、重複する説明を一部省略するものとする。
【００２３】
保持ケース１１０は、第１の実施形態と同様に、モータの駆動軸に脱着可能に取り付けられる軸部１１と、薬剤シートを保持するシート保持部１１２と、薬剤シートに空気流を作用させる気流増幅部材１１３とを備えているが、気流増幅部材１１３が底部フレーム１１５の下方側ではなく、底部フレーム１１５とほぼ同一平面内となるように、底部フレーム１１５と周壁フレーム１７の間に介装されている点が大きく異なっている。
【００２４】
軸部１１には、十字状に突出する短い４本の底部フレーム１１５が延設され、底部フレーム１１５の先端部が軸部１１と同軸の小径の環状フレーム５０に連結されている。また、環状の上部フレーム１６には下方に延出する複数の周壁フレーム１７が円周方向等間隔に設けられ、各周壁フレーム１７の下端と環状フレーム５０の間が、気流増幅部材１１３の複数の傾斜板２１によって連結されている。各傾斜板２１は環状フレーム５０から周壁フレーム１７方向に放射状に延出しており、最上位部分が底部フレーム１１５や環状フレーム５０の上面と同一高さとなり、底部フレーム１１５や環状フレーム５０とともに薬剤シートの下面を支持するようになっている。したがって、この実施形態の場合には、環状フレーム５０と傾斜板２１が実質的に底部フレーム１１５を拡張している。保持ケース１１０の各部は合成樹脂によって一体に形成されている。
【００２５】
この保持ケース１１０には、第１の実施形態とほぼ同様にシート保持部１１２内に薬剤シートが取り付けられ、その結果、薬剤シートの自重と内側係止爪１４による押し付けによって、薬剤シート４が底部フレーム１１５と環状フレーム５０と各傾斜板２１の上面に当接した状態で固定される。したがって、薬剤シートの下面は、気流増幅部材１１３の各傾斜板２１に対して常にほぼ密着した状態に維持されることになる。
【００２６】
以上のように、この実施形態の保持ケース１１０においては、薬剤シートの下面と気流増幅部材１１３が一定の相対位置に維持された状態で、薬剤シートの下方周域で気流増幅部材１１３による気流撹乱が行われるため、薬剤シートから揮発した薬剤を回転に伴う遠心力と気流増幅部材１１３による気流撹乱効果によって周囲に効率良く揮散させることができる。
【００２７】
つづいて、図１１〜図１３に示す第３の実施形態について説明する。
この実施形態の保持ケース２１０も、第１の実施形態と同様の薬剤揮散装置１（図１参照）で用いられ、同様の薬剤シート４（図１参照）を保持するものである。
【００２８】
保持ケース２１０は、モータの駆動軸に脱着可能に取り付けられる軸部１１と、薬剤シートを保持するシート保持部２１２と、薬剤シートに空気流を作用させる気流増幅部材２１３とを備えているが、気流増幅部材２１３が上記の各実施形態と最も大きく異なっている。
【００２９】
軸部１１の下端には円盤状のベースプレート部３０が設けられ、ベースプレート部３０の外周側に上部フレーム１６よりも小径の環状フレーム３１がそれらと同軸に配置されている。
そして、ベースプレート部３０と環状フレーム３１との間は、軸部１１の回転方向に傾斜するように湾曲させた複数の底部フレーム２１５によって連結されている。
この底部フレーム２１５のうちの円周方向に交互に配置される半数のものは、環状フレーム３１を横断して上部フレーム１６の下方まで延出している。以下、底部フレーム２１５のうち環状フレーム３１を越えて径方向外側に延出する部分を延出部２２６と呼ぶものとする。各底部フレーム２１５の成す湾曲は、保持ケース２１０の円周方向に傾斜させ、例えば、インボリュート曲線のように形成される。また、各底部フレーム２１５は、環状フレーム３１より上下方向の厚みが厚く形成され、底部フレーム２１５の上縁部が環状フレーム３１の上面よりも上方に所定高さ高く設けられている。
【００３０】
また、環状の上部フレーム１６の下面には、薬剤シートの外側側面を取り囲むように複数の周壁フレーム１７が等間隔に設けられ、その各周壁フレーム１７の下端に、底部フレーム２１５の前記各延出部２２６が略Ｌ字状に屈曲して形成されている。
【００３１】
この実施形態の場合、湾曲した複数の底部フレーム２１５によって気流増幅部材２１３が構成され、この気流増幅部材２１３には底部フレーム２１５の延出部２２６も含まれている。この実施形態の気流増幅部材２１３は、モータによる保持ケース２１０の回転によって底部フレーム２１５が周域に気流の撹乱を生じさせるものであるが、このとき底部フレーム２１５の湾曲形状が周囲の広い範囲にわたって効率良く気流を撹乱させる。なお、このとき周壁フレーム１７によっては気流の撹乱作用をほとんど生じない。
また、この実施形態の場合には、軸部１１の上端と上部フレーム１６の内周縁部には、それぞれ内側係止爪１４と外側係止爪１８が形成されている。この実施形態の場合も、保持ケース２１０の各部は合成樹脂によって一体に形成されている。
【００３２】
この実施形態の場合も、薬剤シートは上部フレーム１６の上方側から底部フレーム２１５と周壁フレーム１７の内側の空間部に取り付けられ、薬剤シートの中心部付近と外周縁部とがそれぞれ内側係止爪１４と外側係止爪１８によって上方側から押さえ込まれる。これにより、薬剤シートの下面と外周縁部は、気流増幅部材２１３を構成する底部フレーム２１５に対して相対位置が一定に維持される。
よって、この保持ケース２１０の場合も、気流増幅部材２１３による気流撹乱効果を常に安定的に得ることができ、薬剤シートから揮発した薬剤を保持ケース２１０の回転に伴う遠心力と、気流増幅部材２１３による気流撹乱効果によって周囲に効率良く揮散させることができる。
【００３３】
特に、この保持ケース２１０は、気流増幅部材２１３を構成する底部フレーム２１５を円周方向に傾斜するように湾曲させて形成しているため、モータによる回転時に周囲の広い空間にわたって効率良く気流を撹乱させることができる。また、この実施形態では、円周方向に傾斜するように湾曲させた各底部フレーム２１５の上縁部が環状フレーム３１の上縁部よりも高く設けられているため、保持ケース２１０の回転によって各底部フレーム２１５の湾曲形状に沿って生じた風を、薬剤シートに臨む側においてスムーズに外周側に流すことができるという利点がある。
なお、ここで説明した実施形態では、底部フレーム２１５の湾曲形状は、モータの回転に対する負荷がより軽減されることを考慮して、保持ケース２１０の回転方向に膨出するように設定されているが、底部フレーム２１５の湾曲形状と保持ケース２１０の回転方向の関係は逆であっても良い。
【００３４】
上記の各実施形態の保持ケースを用いて薬剤揮散量の比較試験を行ったときの結果を以下の表１に示す。
＜試験方法＞
薬剤シートは3次元メッシュ構造で外径３８mmの円板状に形成されている。外径４０mmの円板状の保持ケースに前記薬剤シートを収納し、メトフルトリン４０mgをケロシン６０mgに溶解した薬液を、薬剤シートに保持させた後、薬剤揮散装置にセットし、１２００rpmの回転速度にて１２０時間揮散させた。
なお、比較例としては、気流増幅部材を持たない保持ケースを用いた。
【００３５】
【表１】
2010131002.tif 000003
【００３６】
上記の試験中の作動においては、薬剤シートから薬剤が飛散することはなく、１２０時間の間安定した揮散量を示した。気流増幅部材を設けた各実施形態のものでは、薬剤揮散量が高くなることを確認できた。
【００３７】
なお、この発明は上記の実施形態に限定されるものではなく、その要旨を逸脱しない範囲で種々の設計変更が可能である。
【符号の説明】
【００３８】
２…モータ（回転駆動装置）
４…薬剤シート
１０，１１０，２１０…保持ケース
１３，１１３，２１３…気流増幅部材
１４…内側係止爪（係止爪）
１５，１１５，２１５…底部フレーム
１７…周壁フレーム
１８…外側係止爪（係止爪）
２１…傾斜板
【図１】
2010131002.tif 000004
【図２】
2010131002.tif 000005
【図３】
2010131002.tif 000006
【図４】
2010131002.tif 000007
【図５】
2010131002.tif 000008
【図６】
2010131002.tif 000009
【図７】
2010131002.tif 000010
【図８】
2010131002.tif 000011
【図９】
2010131002.tif 000012
【図１０】
2010131002.tif 000013
【図１１】
2010131002.tif 000014
【図１２】
2010131002.tif 000015
【図１３】
2010131002.tif 000016